(57)【要約】【課題】被加熱物５の温度勾配に基づいて判定した被加熱物５内の負荷量に応じて加熱制御を行う場合において、被加熱物５の温度制御を高精度に行うことができること。【解決手段】所定入力電流値で所定期間加熱し、前記所定期間内の温度勾配に応じて被加熱物５の量を判定する負荷量判定部７を備え、負荷量判定部７は、前記所定期間内において入力電流検出部４により検出された入力電流値が、前記所定入力電流値から第１の所定低下幅以上低下し、その後に前記所定入力電流値から第２の所定低下幅以内に増加する瞬時電流低下が生じた場合、前記瞬時電流低下が生じている期間の前記温度勾配を前記負荷量判定に採用せず、前記所定期間内で前記瞬時電流低下が生じた時以前または以後の少なくとも一方の前記温度勾配を基に前記負荷量判定を行うようにしたこと。【選択図】図１
2013125721.tif 000002
【特許請求の範囲】
【請求項１】
被加熱物を誘導加熱する加熱コイル及び前記加熱コイルと共振回路を構成する共振コンデンサを含み、前記加熱コイルに高周波電流を供給するインバータ回路と、前記インバータ回路に供給される入力電流を検出する入力電流検出部と、前記被加熱物の温度を検知する温度検知部と、所定入力電流値で所定期間加熱し、前記所定期間内の前記温度検知部で検知した温度勾配に応じて前記被加熱物内の負荷量を判定する負荷量判定部と、前記被加熱物の温度が所定の目標温度に到達するように加熱出力を制御する制御部と、前記負荷量判定部が判定した負荷量が大きくなると前記目標温度を高く設定する目標温度設定部と、を備え、前記負荷量判定部は、前記所定期間内において前記入力電流検出部により検出された入力電流値が、前記所定入力電流値から第１の所定低下幅以上低下し、その後に前記所定入力電流値から第２の所定低下幅以内に増加する瞬時電流低下が生じた場合、前記瞬時電流低下が生じている期間の前記温度勾配を前記負荷量判定に採用せず、前記所定期間内で前記瞬時電流低下が生じた時以前または以後の少なくとも一方の前記温度勾配を基に前記負荷量判定を行うとした誘導加熱装置。
【請求項２】
制御部は、油を収容した被加熱物の温度を設定温度に保持する自動調理モードを備え、前記自動調理モードで加熱が開始されると負荷量判定を行う請求項１に記載の誘導加熱装置。
【請求項３】
被加熱物を載置するトッププレートを備え、前記トッププレートは光透過性を有する絶縁材質で構成され、温度検知部は、前記被加熱物の底面から放射される赤外線を、前記トッププレートを介して検知する赤外線センサを備えた請求項１または２に記載の誘導加熱装置。
【請求項４】
第１の所定低下幅は、第２の所定低下幅より大きいか、または略同一である請求項１〜３のいずれか１項に記載の誘導加熱装置。
【発明の詳細な説明】
【技術分野】
【０００１】
本発明は、誘導加熱方式により加熱される被加熱物内の負荷量を判定する手段を備えた誘導加熱装置に関するものである。
【背景技術】
【０００２】
従来、この種の誘導加熱装置は、被加熱物の検知温度の温度勾配を基に被加熱物内の負荷量を判定し、判定した負荷量に応じて温度制御を行うというものがある（例えば、特許文献１参照）。
【０００３】
図７は、特許文献１に記載された従来の誘導加熱装置の回路構成図である。被加熱物１０１を載置するトッププレート１０２と、トッププレート１０２に載置された被加熱物１０１を誘導加熱する加熱コイル１０３と、加熱コイル１０３に高周波電流を供給するインバータ回路１０４と、トッププレート１０２の下方に設けられて被加熱物１０１の温度に応じた大きさの検出信号を出力する赤外線センサ１０５と、赤外線センサ１０５の出力に基づきインバータ回路１０４の出力を制御する制御部１０６と、から構成されている。
【０００４】
上記構成において、赤外線センサ１０５は、制御部により加熱コイル１０３の出力を制御して被加熱物１０１の温度制御を行う制御温度範囲近傍で被加熱物１０１の温度が高くなればなるほど、大きさ及び増加率が大きくなる検出信号を出力する。
【０００５】
制御部１０６は、加熱開始直後における赤外線センサ１０５の出力値である初期検出値に対する赤外線センサ１０５の出力値の増加量が第１の所定値以上となると加熱コイル１０３の出力を低減するか，または加熱を停止し、赤外線センサ１０５の出力値の増加量が前記第１の所定値より小さな第２の所定値未満となったら加熱コイル１０３の出力を増加させ、加熱開始直後は赤外線センサ１０５の出力値の微分値が大きくなると、前記第１又は／及び第２の所定値が小さくなるように補正することで、例えば揚げ物用に油を加熱する場合に、油量が多くなるに従って赤外線センサ１０５の出力値の微分値は小さくなり、一方、油量が多くなるに従って、被加熱物１０１内の油の温度は被加熱物１０１の温度に比して低くなるため、赤外線センサ１０５の出力値の微分値が大きいときは前記第１又は／及び第２の所定値の補正量を小さくし、赤外線センサ１０５の出力値の微分値が小さいときは所定値の補正量を大きくすることにより、被加熱物内の油の温度を狙いの温度にすばやく立ち上げることが可能となる。
【先行技術文献】
【特許文献】
【０００６】
【特許文献１】特開２００９−２５９６１９号公報
【発明の概要】
【発明が解決しようとする課題】
【０００７】
しかしながら、前記従来の構成では、所定入力電流値で被加熱物を所定期間加熱し、前記所定期間内の前記被加熱物の温度の温度勾配に応じて前記被加熱物内の負荷量を判定し、判定した負荷量に基づいて加熱制御を行う場合において、前記所定期間内に一定期間だけ入力電流値の低下または加熱停止が生じた場合、被加熱物の温度が一時的に低下し、赤外線センサの温度に対する応答性がよいため検知温度も一時的に低下するので、被加熱物の検知温度の温度勾配に基づく被加熱物の温度制御を正確に行うことができないという課題を有していた。
【０００８】
本発明は、前記従来の課題を解決するもので、被加熱物の温度勾配に基づいて判定した被加熱物内の負荷量に応じて加熱制御を行う場合において、被加熱物の温度制御を高精度に行うことができる誘導加熱装置を提供することを目的とする。
【課題を解決するための手段】
【０００９】
前記従来の課題を解決するために、本発明の誘導加熱装置は、被加熱物を誘導加熱する加熱コイル及び前記加熱コイルと共振回路を構成する共振コンデンサを含み、前記加熱コイルに高周波電流を供給するインバータ回路と、前記インバータ回路に供給される入力電流を検出する入力電流検出部と、前記被加熱物の温度を検知する温度検知部と、所定入力電流値で所定期間加熱し、前記所定期間内の前記温度検知部で検知した温度勾配に応じて前記被加熱物内の負荷量を判定する負荷量判定部と、所定の目標温度に到達するように加熱出力を制御する制御部と、前記負荷量判定部が判定した負荷量が大きくなると前記目標温度を高く設定する目標温度設定部と、を備え、前記負荷量判定部は、前記所定期間内において前記入力電流検出部により検出された入力電流値が、前記所定入力電流値から第１の所定低下幅以上低下し、その後に前記所定入力電流値から第２の所定低下幅以内に増加する瞬時電流低下が生じた場合、前記瞬時電流低下が生じている期間の前記温度勾配を前記負荷量判定に採用せず、前記所定期間内で前記瞬時電流低下が生じた時以前または以後の少なくとも一方の前記温度勾配を基に前記負荷量判定を行うようにしたものである。
【００１０】
これによって、前記所定入力電流値で前記被加熱物を所定期間加熱し、前記所定期間内の前記被加熱物の温度勾配に応じて前記被加熱物内の負荷量判定を行い、判定した負荷量に基づいて加熱制御を行う場合において、前記所定期間内に一定期間だけ入力電流値の低下または加熱停止が生じて被加熱物の検知温度の一時的な低下が生じた場合でも、入力電流値の低下または加熱停止による温度変化を除外することで、前記被加熱物の温度勾配に基づく負荷量判定を正確に行うことができ、被加熱物の温度制御を高精度に行うことが可能となる。
【発明の効果】
【００１１】
本発明の誘導加熱装置は、所定入力電流値で被加熱物を所定期間加熱し、前記所定期間内の被加熱物の温度の温度勾配に応じて前記被加熱物内の負荷量を判定し、判定した負荷量に基づいて加熱制御を行う場合において、前記所定期間内に一定期間だけ入力電流値の低下または加熱停止が生じて被加熱物の検知温度の一時的な低下が生じた場合でも、前記被加熱物の温度勾配に基づく負荷量判定を正確に行うことができ、被加熱物の温度制御を高精度に行うことが可能となる。
【図面の簡単な説明】
【００１２】
【図１】本発明の実施の形態１における誘導加熱調装置の回路構成図
【図２】本発明の実施の形態１における誘導加熱装置の動作フローチャート
【図３】本発明の実施の形態１における誘導加熱装置の入力電流検出部による入力電流値と、温度検知部による検知温度と、温度検知部による検知温度から算出された温度勾配との関係を示すグラフ
【図４】本発明の実施の形態１における誘導加熱装置の温度検知部による検知温度と、温度検知部による検知温度から算出された温度勾配の、被加熱物量の大小による関係を示すグラフ
【図５】本発明の実施の形態１における誘導加熱調装置の温度検知部に赤外線センサを用いた回路構成を示すブロック図
【図６】本発明の実施の形態１における誘導加熱調装置の構成要素の配置例を示す概略図
【図７】特許文献１における従来の誘導加熱装置の回路構成図
【発明を実施するための形態】
【００１３】
第１の発明は、被加熱物を誘導加熱する加熱コイル及び前記加熱コイルと共振回路を構成する共振コンデンサを含み、前記加熱コイルに高周波電流を供給するインバータ回路と、前記インバータ回路に供給される入力電流を検出する入力電流検出部と、前記被加熱物の温度を検知する温度検知部と、所定入力電流値で所定期間加熱し、前記所定期間内の前記温度検知部で検知した温度勾配に応じて前記被加熱物内の負荷量を判定する負荷量判定部と、所定の目標温度に到達するように加熱出力を制御する制御部と、前記負荷量判定部が判定した負荷量が大きくなると前記目標温度を高く設定する目標温度設定部と、を備え、前記負荷量判定部は、前記所定期間内において前記入力電流検出部により検出された入力電流値が、前記所定入力電流値から第１の所定低下幅以上低下し、その後に前記所定入力電流値から第２の所定低下幅以内に増加する瞬時電流低下が生じた場合、前記瞬時電流低下が生じている期間の前記温度勾配を前記負荷量判定に採用せず、前記所定期間内で前記瞬時電流低下が生じた時以前または以後の少なくとも一方の前記温度勾配を基に前記負荷量判定を行うとした誘導加熱装置である。
【００１４】
これによって、所定入力電流値で前記被加熱物を前記所定期間加熱し、前記所定期間内の前記被加熱物の温度勾配に応じて前記被加熱物内の負荷量を判定する負荷量判定を行い、判定した負荷量に基づいて加熱制御を行う場合において、前記所定期間内に一定期間だけ入力電流値の低下または加熱停止が生じて被加熱物の検知温度の一時的な低下が生じた場合でも、入力電流値の低下または加熱停止による温度変化を除外することで、前記被加熱物の温度勾配に基づく負荷量判定を正確に行うことができ、被加熱物の温度制御を高精度に行うことができる。
【００１５】
第２の発明は、特に、第１の発明において、前記制御部は、油を収容した被加熱物の温度を設定温度に保持する自動調理モードを備え、前記自動調理モードで加熱が開始されると前記負荷量判定を行うようにしたものであり、前記負荷量判定部による負荷量誤判定によって温度制御が正確に行われない場合には油の温度を意図した温度にできず、調理性能が劣化する可能性がある揚げ物調理において、油の温度制御を高精度に行うことができる。
【００１６】
第３の発明は、特に、第１または第２の発明において、前記被加熱物を載置するトッププレートを備え、前記トッププレートは光透過性を有する絶縁材質で構成され、前記温度検知部は、前記被加熱物の底面から放射される赤外線を、前記トッププレートを介して検知する赤外線センサを備えたものであり、前記赤外線センサにより前記被加熱物の温度検知をすることで、サーミスタを用いて前記トッププレートを介して熱伝導により前記被加熱物の温度検知をする場合と比べて熱応答性が良くなり、高精度に前記被加熱物の温度制御を行うことができる。
【００１７】
第４の発明は、特に、第１〜第３のいずれか１つの発明において、前記第１の所定低下幅は、前記第２の所定低下幅より大きいか、または略同一とするものであり、入力電流値が低下したことを検知する閾値である前記第１の所定低下幅を、入力電流値が復帰したことを検知する閾値である前記第２の所定低下幅より大きいか、または略同一とすることで、前記入力電流検出部により検出された入力電流値が前記所定入力電流値から第１の所定低下幅以上低下し、その後に前記所定入力電流値に戻った場合に、必ず前記瞬時電流低下が生じたことを検知することができ、被加熱物の温度制御を高精度に行うことができる。
【００１８】
以下、本発明の実施の形態について、図面に基づいて説明する。なお、この実施の形態によって本発明が限定されるものではない。
【００１９】
（実施の形態１）
図１は本発明の第１の実施の形態における誘導加熱装置の回路構成を示すブロック図を、図２は本発明の第１の実施の形態における誘導加熱装置の動作フローチャートを、図３は本発明の第１の実施の形態における誘導加熱装置の入力電流検出部４による入力電流値と温度検知部６による検知温度と温度検知部６による検知温度から算出された温度勾配との関係を示すグラフを、図４は本発明の第１の実施の形態における誘導加熱装置の温度検知部６による検知温度と温度検知部６による検知温度から算出された温度勾配の被加熱物量の大小による関係を示すグラフを、図５は本発明の第１の実施の形態における誘導加熱装置の温度検知部に赤外線センサを用いた回路構成を示すブロック図を、図６は本発明の第１の実施の形態における誘導加熱装置の構成要素の配置例を示す概略図を、それぞれ示す。
【００２０】
図１において、本発明の第１の実施の形態における誘導加熱調理器は、被加熱物５を誘導加熱する加熱コイル１及び加熱コイル１と共振回路を構成する共振コンデンサ２を含み、加熱コイル１に高周波電流を供給するインバータ回路３と、インバータ回路３に供給される入力電流を検出するカレントトランス等からなる入力電流検出部４と、被加熱物５の温度を検知する温度検知部６と、所定入力電流で所定期間加熱し、前記所定期間内の温度検知部６で検知した温度勾配に応じて被加熱物５内に負荷量を判定する負荷量判定部７と、所定の目標温度に到達するように加熱出力を制御する制御部８と、負荷量判定部７が判定した負荷量が大きくなると前記目標温度を高く設定する目標温度設定部９と、で構成されている。
【００２１】
インバータ回路３は、交流電源１０の交流を整流および平滑する整流回路１１と、整流回路１１で整流および平滑された直流電流を高周波交流電流に変換し、共振回路へ高周波交流電流を供給するスイッチング素子１２を有し、スイッチング素子１２の駆動周波数あるいは導通時間を増減させることで共振回路に供給する電流量を増減させている。
【００２２】
また、一般的に被加熱物５内の負荷量が大きくなるに従って加熱時の被加熱物５の温度上昇時の前記温度勾配は小さくなるという傾向があるため、負荷量判定部７は前記傾向を利用し、事前に測定して得られた前記温度勾配と負荷量との関係から被加熱物５の負荷量判別を行っている。
【００２３】
以上のように構成された誘導加熱調理器において、以下、図２〜４を用いて、その動作、作用を説明する。
【００２４】
図２において、まず誘導加熱調理器は電源スイッチ（図示せず）にて電源が入ると加熱待ち状態の待機モードとなる。そして、ステップ１０（以下Ｓ１０と、他のステップも記号で記載する）にて、加熱が開始されるまで、待機モード状態を継続する。
【００２５】
加熱開始スイッチ（図示せず）にて加熱開始されるとＳ２０にて負荷量判定部７による被加熱物５の温度の前記温度勾配の算出を開始し、以降、一定時間毎、例えば１秒毎、に前記温度勾配を算出し続ける。
【００２６】
次に、Ｓ３０にて、所定入力電流で所定期間加熱する期間の内、前記負荷量判定に用いる前記温度勾配を算出する期間である、負荷量判定期間中か前記負荷量判定期間中でないかを確認する。なお、前記所定入力電流は、被加熱物５の被加熱部と被加熱物５内の負荷との温度乖離が少なく、被加熱物５の温度制御がしやすい入力電力に相当する入力電流、例えば被加熱物５内の負荷が油の場合に入力電力１５００Ｗに相当する入力電流、とすればよい。
【００２７】
なお、前記所定入力電流で加熱する前記所定期間は、負荷量判定部７が前記温度勾配を
算出するのに十分な時間、例えば前記温度勾配を算出するのに３０秒間必要である場合には前記所定時間は３０秒以上、とすればよい。
【００２８】
次に、Ｓ３０にて前記荷量判定期間中と判断された場合、Ｓ６０にて、入力電流検出部４により検出された入力電流値が、前記所定入力電流値から第１の所定低下幅以上低下し、その後に第２の所定低下幅以内に増加する瞬時電流低下の有無を確認する。
【００２９】
なお、前記第１の所定低下幅は、入力電流値の低下が生じた場合に被加熱物５の温度が一時的に低下して温度検知部６による検知温度も一時的な低下が生じる電流値の幅、例えば前記所定入力電流値の１０％、とすればよい。
【００３０】
なお、前記第２の所定低下幅は、入力電流値が前記所定入力電流値から前記第１の所定低下幅以上低下し、その後に前記所定入力電流値に近い値、例えば前記所定入力電流値の３％以内、に復帰したことを検知できる電流値の幅、例えば前記所定入力電流値の５％、とすればよい。
【００３１】
前記瞬時電流低下が起こるケースとしては、雷サージなどの電源異常によって回路が故障しないように保護する保護手段が働いた場合や、通常加熱時とは別の条件で被加熱物５を一定期間加熱することで被加熱物５の材質判定を行う場合などが挙げられる。
【００３２】
Ｓ３０にて前記負荷量判定期間中でないと判断されると、Ｓ４０にて前記負荷量判定期間が終了後か終了後でないかを確認する。Ｓ４０にて前記負荷量判定期間が終了後と判断された場合、Ｓ５０にて、前記負荷量判定期間の前記温度勾配を基に負荷量判定を行う。
【００３３】
Ｓ４０にて前記負荷量判定期間が終了後でないと判断された場合、Ｓ３０に戻る。Ｓ６０にて前記瞬時電流低下が発生したと判断されると、Ｓ７０にて前記負荷量判定期間中か前記負荷量判定期間中でないかを確認する。Ｓ６０にて前記瞬時電流が発生していないと判断されると、Ｓ３０に戻る。Ｓ７０では、前記荷量判定期間中でないと判断されるまでＳ７０を継続する。
【００３４】
Ｓ７０にて前記荷量判定期間中でないと判断された場合、Ｓ８０にて前記瞬時電流低下が生じた期間の前記温度勾配を前記負荷量判定に採用せず、前記瞬時電流低下が生じた時以前または以後の少なくとも一方の前記温度勾配を基に前記負荷量判定を行う。
【００３５】
なお、入力電流値が低下したことを検知する閾値である前記第１の所定低下幅は、入力電流値が復帰したことを検知する閾値である前記第２の所定低下幅より大きいか、または略同一とすることで、入力電流検出部４により検出された入力電流値が前記所定入力電流値から前記第１の所定低下幅以上低下し、その後に前記所定入力電流値に戻った場合に、必ず前記瞬時電流低下が生じたことを検知することができ、被加熱物の温度制御を高精度に行うことができる。
【００３６】
これは、もし前記第１の所定低下幅が前記第２の所定低下幅より小さい場合、入力電流検出部４により検出された入力電流値が前記所定入力電流値から前記第１の所定低下幅以上、前記第２の所定低下幅未満の低下値をとった後に、前記所定入力電流値に戻った場合に、前記瞬時電流低下が生じたことを検知することができず、入力電流値の低下を検知するために設定する前記第１の所定低下幅が意図した機能を果たしていないことになる。
【００３７】
次に、図３において、所定入力電流で加熱している場合に前記瞬時電流低下が発生して入力電流検出部４による入力電流値が一時的に低下すると、前記瞬時電流低下が生じている期間は被加熱物５の被加熱部および被加熱部周辺の温度が低下し、温度検知部６による
検知温度も低下するので、前記温度勾配を算出する前記負荷量判定期間に前記瞬時電流低下が生じた場合、前記温度勾配に基づく被加熱物５の温度制御を正確に行うことができない。
【００３８】
これは、特に、被加熱物５の温度を検知する温度検知部６が熱応答性の良い構成の場合に顕著となる。この対策として、前記瞬時電流低下が生じている期間の前記温度勾配を前記負荷量判定に採用せず、前記瞬時電流低下が生じた時以前または以後の少なくとも一方の前記温度勾配を基に前記負荷量判定を行うことで、前記瞬時電流低下による被加熱物５の温度制御の精度低下を少なく抑えることができる。
【００３９】
なお、前記瞬時電流低下が生じた時以前または以後の少なくとも一方の前記温度勾配を基に前記負荷量判定を行うためには、前記瞬時電流低下が生じる以前の前記温度勾配の時間変化量や、前記瞬時電流低下が生じる以前の前記温度勾配と前記瞬時電流低下が生じた時以後の前記温度勾配との差による時間変化量を求め、前記瞬時電流低下が生じている期間の前記温度勾配を推測して算出し、算出結果を基に被加熱物５内の負荷量を判定すればよい。
【００４０】
次に、図４において、図４に示すように被加熱物５を加熱時に、被加熱物５内の負荷量が大きくなるに従って前記温度勾配は小さくなり、負荷量が小さくなるに従って前記温度勾配は大きくなる傾向がある。
【００４１】
また、被加熱物５内の負荷量が大きくなるに従って被加熱物５内の負荷の温度は被加熱物５の被加熱部の温度に比して低くなる傾向がある。これは、加熱により被加熱物５の被加熱部の温度は温度上昇を続けるが、被加熱物５内の負荷量が大きい場合、加熱されて高温となった被加熱物５の被加熱部の熱が被加熱物５内の負荷全体に十分に熱伝導するのに時間がかかるからである。
【００４２】
これらの傾向を利用し、前記温度勾配が大きいときは負荷量が小さいと判断して前記目標温度を小さくし、前記温度勾配が小さいときは負荷量が大きいと判断して前記目標温度を大きくすることにより、制御部８が被加熱物５の温度を前記目標温度まで加熱した時に被加熱物５内の負荷の温度を狙いの温度に高精度に制御することが可能となる。
【００４３】
なお、被加熱物５の前記温度勾配から負荷量を算出する際は、温度検知部６による検知時の測定ばらつきに対して加熱による被加熱物５の温度上昇が十分大きくなるような時間、例えば１５００Ｗの一定入力で油負荷を加熱している場合に３０秒間、で前記温度勾配を算出するなど、加熱する入力電力と被加熱物５、被加熱物５内の負荷の種類などに応じた時間で前記温度勾配を算出すればよい。
【００４４】
また、制御部８は、油を収容した被加熱物５の温度を設定温度に保持する自動調理モードを備え、前記自動調理モードで加熱が開始されると前記負荷量判定を行うようにすることで、負荷量判定部７による負荷量誤判定によって温度制御が正確に行われない場合には油の温度を意図した温度にできず、調理性能が劣化する可能性がある揚げ物調理において、油の温度制御を高精度に行うことができる。
【００４５】
また、図５に示すように、被加熱物５を載置するトッププレート１３を備え、トッププレート１３は光透過性を有する絶縁材質で構成され、温度検知部６は、被加熱物５の底面から放射される赤外線を、トッププレート１３を介して検知する赤外線センサとし、前記赤外線センサにより被加熱物５の温度検知をすることで、サーミスタを用いてトッププレート１３を介して熱伝導により被加熱物５の温度検知をする場合と比べて熱応答性が良くなり、高精度に被加熱物５の温度制御を行うことができる。
【００４６】
前記赤外線センサはＩｎＧａＡｓピンフォトダイオード等からなり、トッププレート１３の下で加熱コイル１近傍に設けられ、被加熱物５の底から放射されトッププレート１３を透過する赤外線を検知して被加熱物５の底面温度に対応する出力電圧を出力する。
【００４７】
前記赤外線センサの配置例としては、図６に示すように、加熱コイル１の内側巻線と外側巻線との間など、加熱コイル１の中心から半径方向の途中の被加熱物５の底面の高温部を検知できる場所が挙げられる。
【００４８】
なお、前記赤外線センサはＩｎＧａＡｓピンフォトダイオードとしたが、シリコンフォトダイオードやサーモパイルなど、被加熱物５の温度を赤外線で検知できるものであれば良い。また、赤外線センサは加熱コイル１の中心から半径方向の途中にあるとし、配置例として加熱コイル１の内側巻線と外側巻線との間などを示したが、被加熱物５の温度が検知できる場所であれば限定しない。
【００４９】
以上のように、本発明の誘導加熱調理器は、前記所定入力電流値で被加熱物５を前記所定期間加熱し、前記所定期間内の被加熱物５の前記温度勾配に応じて被加熱物５内の負荷量などを判定する負荷量判定を行い、判定した負荷量に基づいて加熱制御を行う場合において、前記所定期間内に一定期間だけ入力電流値の低下または加熱停止が生じて被加熱物５の検知温度の一時的な低下が生じた場合でも、入力電流値の低下または加熱停止による温度変化を除外することで、被加熱物５の前記温度勾配に基づく負荷量判定を正確に行うことができ、被加熱物５の温度制御を高精度に行うことができる。
【産業上の利用可能性】
【００５０】
以上のように、本発明の誘導加熱装置は、所定入力電流値で被加熱物を所定期間加熱し、前記所定期間内の前記被加熱物の温度の温度勾配に応じて前記被加熱物内の負荷量を判定する負荷量判定を行い、判定した負荷量に基づいて加熱制御を行う場合において、前記所定期間内に一定期間だけ入力電流値の低下または加熱停止が生じて前記被加熱物の検知温度の一時的な低下が生じた場合でも、入力電流値の低下または加熱停止による温度変化を除外することで、前記被加熱物の温度勾配に基づく負荷量判定を正確に行うことができ、前記被加熱物の温度制御を高精度に行うことができるので、一般家庭や業務用に使用される誘導加熱装置において有効である。
【符号の説明】
【００５１】
１、１０３  加熱コイル
２  共振コンデンサ
３、１０４  インバータ回路
４  入力電流検出部
５、１０１  被加熱物
６  温度検知部
７  負荷量判定部
８、１０６  制御部
９  目標温度設定部
１０  交流電源
１１  整流回路
１２  スイッチング素子
１３、１０２  トッププレート
【図１】
2013125721.tif 000003
【図２】
2013125721.tif 000004
【図３】
2013125721.tif 000005
【図４】
2013125721.tif 000006
【図５】
2013125721.tif 000007
【図６】
2013125721.tif 000008
【図７】
2013125721.tif 000009